(57)【要約】【課題】火災時にシャッターボックス内の巻取り軸から可燃ガスが流出することで発火することを抑止したシャッターを提供する。【解決手段】上枠１０と下枠１１及び左右の縦枠１２，１２を枠組みしてなる枠体１を有し、上枠１０は扉体３を支持すると共に巻き上げて収納自在なシャッターボックス２を有し、シャッターボックス２は扉体３を巻回自在な巻取り軸２０を有し、巻取り軸２０の両端部に耐火材５２ｄ、５３ｇが配置されて、火災時には巻取り軸２０の両端部を閉塞する。【選択図】図８
2015068024.tif 000002
【特許請求の範囲】
【請求項１】
上枠と下枠及び左右の縦枠を枠組みしてなる枠体を有し、前記上枠は扉体を支持すると共に巻き上げて収納自在なシャッターボックスを有するシャッターにおいて、
前記シャッターボックスは前記扉体を巻回自在な巻取り軸を有し、前記巻取り軸の両端部に耐火材が配置されることを特徴とするシャッター。
【請求項２】
前記シャッターボックスを構成する側面部材のうち少なくとも一方には、前記巻き取り軸の端面に対向するように前記耐火材が配置されることを特徴とする請求項１記載のシャッター。
【請求項３】
前記巻取り軸は、前記シャッターボックスを構成する側面部材に対して固定される固定軸部と、該固定軸部の外周側に回転自在に保持される回転軸部とを有し、前記固定軸部の端部と前記回転軸部の端部に前記耐火材が配置されることを特徴とする請求項１または２記載のシャッター。
【請求項４】
前記固定軸部の少なくとも一方の端部には端部材が設けられ、該端部材の内部に耐火材が設けられることを特徴とする請求項３記載のシャッター。
【請求項５】
前記固定軸部の少なくとも一方の端部には、前記回転軸部に対向するように前記耐火材が配置されることを特徴とする請求項３または４記載のシャッター。
【請求項６】
前記固定軸部の外周面と回転軸部の内周面の間に耐火材が配置されることを特徴とする請求項３〜５のいずれか１項に記載のシャッター。
【請求項７】
前記固定軸部は中空筒状に形成されてなり、中空内部に耐火材が配置されることを特徴とする請求項３〜６のいずれか１項に記載のシャッター。
【請求項８】
前記扉体は全閉状態で前記巻取り軸に１周以上巻回される巻付け部を有し、該巻付け部の引き出し側端部と固定側端部の間には耐火材が配置されることを特徴とする請求項１〜７のいずれか１項に記載のシャッター。
【発明の詳細な説明】
【技術分野】
【０００１】
本発明は、建物開口部に設けられる枠体の上枠に巻回自在な扉体を納めるシャッターボックスを設けたシャッターに関し、特に火災時にシャッターボックス内での発火を抑えることのできるシャッターに関する。
【背景技術】
【０００２】
枠体の上枠に巻回自在な扉体を納めるシャッターボックスを設けたシャッターが建物開口部に設けられることがある。シャッターの扉体は、複数のスラットを上下方向に連結して構成される。また、シャッターボックスは建物躯体の室外側面に対して固定されて、扉体を巻回することのできる巻取り軸を内部に備えている。このようなシャッターとして例えば特許文献１に挙げるようなものがある。
【先行技術文献】
【特許文献】
【０００３】
【特許文献１】特開２０１０−１６３７４０号公報
【発明の概要】
【発明が解決しようとする課題】
【０００４】
シャッターにおいては、高い防火性能を求められる場合がある。シャッターが火災時に高温に晒された際には、シャッターに用いられている樹脂部材等が溶融して可燃ガスが発生するが、高い防火性能を実現するには、可燃ガスが発火することを抑止する必要がある。
【０００５】
シャッターボックスに設けられる巻取り軸は中空筒状に形成されており、その中空内部には樹脂部材を含む複数の部品が納められている。このため、火災時には巻取り軸内の樹脂部材が溶融し、それによって生じた可燃ガスが巻取り軸の外側に流出して発火する可能性があった。
【０００６】
本発明は前記課題を鑑みてなされたものであり、火災時にシャッターボックス内の巻取り軸から可燃ガスが流出することで発火することを抑止したシャッターを提供することを目的とする。
【課題を解決するための手段】
【０００７】
前記課題を解決するため、請求項１の発明に係るシャッターは、上枠と下枠及び左右の縦枠を枠組みしてなる枠体を有し、前記上枠は扉体を支持すると共に巻き上げて収納自在なシャッターボックスを有するシャッターにおいて、
前記シャッターボックスは前記扉体を巻回自在な巻取り軸を有し、前記巻取り軸の両端部に耐火材が配置されることを特徴として構成されている。
【０００８】
請求項１に係る発明によれば、火災発生時には巻取り軸の両端部が耐火材により塞がれ、巻取り軸内からの可燃ガスの流出を抑止することができる。
【０００９】
また、請求項２の発明に係るシャッターは、前記シャッターボックスを構成する側面部材のうち少なくとも一方には、前記巻き取り軸の端面に対向するように前記耐火材が配置されることを特徴として構成されている。
【００１０】
請求項２に係る発明によれば、火災時には側面部材から耐火材が膨張することで、固定軸部の端面を塞ぐことができる。
【００１１】
さらに、請求項３の発明に係るシャッターは、前記巻取り軸は、前記シャッターボックスを構成する側面部材に対して固定される固定軸部と、該固定軸部の外周側に回転自在に保持される回転軸部とを有し、前記固定軸部の端部と前記回転軸部の端部に前記耐火材が配置されることを特徴として構成されている。
【００１２】
請求項３に係る発明によれば、固定軸部と回転軸部の各端部を火災時には耐火材で塞ぎ、可燃ガスの流出を抑止することができる。
【００１３】
さらにまた、請求項４の発明に係るシャッターは、前記固定軸部の少なくとも一方の端部には端部材が設けられ、該端部材の内部に耐火材が設けられることを特徴として構成されている。
【００１４】
請求項４に係る発明によれば、端部材の耐火材によって固定軸部と回転軸部の各端部を火災時に塞ぎ、可燃ガスの流出を抑止することができる。
【００１５】
そして、請求項５の発明に係るシャッターは、前記固定軸部の少なくとも一方の端部には、前記回転軸部に対向するように前記耐火材が配置されることを特徴として構成されている。
【００１６】
請求項５に係る発明によれば、火災時に耐火材が膨張することで、回転軸部の端面を塞ぐことができる。
【００１７】
また、請求項６の発明に係るシャッターは、前記固定軸部の外周面と回転軸部の内周面の間に耐火材が配置されることを特徴として構成されている。
【００１８】
請求項６に係る発明によれば、固定軸部と回転軸部の間の空間を、長手方向に閉塞することができ、閉塞された空間からの可燃ガスの流出を抑止することができる。
【００１９】
さらに、請求項７の発明に係るシャッターは、前記固定軸部は中空筒状に形成されてなり、中空内部に耐火材が配置されることを特徴として構成されている。
【００２０】
請求項７に係る発明によれば、固定軸部の中空内部を耐火材で閉塞することができ、固定軸部の長手方向に沿って可燃ガスが流出することを抑止することができる。
【００２１】
さらに、請求項８の発明に係るシャッターは、前記扉体は全閉状態で前記巻取り軸に１周以上巻回される巻付け部を有し、該巻付け部の引き出し側端部と固定側端部の間には耐火材が配置されることを特徴として構成されている。
【００２２】
請求項８に係る発明によれば、巻付け部によって巻取り軸の全周を覆うことができると共に引き出し側端部の空間を耐火材で閉塞することができるので、巻取り軸からの可燃ガスの流出をより確実に抑止できる。
【発明の効果】
【００２３】
本発明に係るシャッターによれば、火災時にシャッターボックス内の巻取り軸から可燃ガスが流出することを効果的に抑止し、可燃ガスの流出により発火することを抑止することができる。
【図面の簡単な説明】
【００２４】
【図１】本実施形態におけるシャッターの縦断面図である。
【図２】本実施形態におけるシャッターの横断面図である。
【図３】シャッターボックスを構成する側面部材と背面カバー部材との分解斜視図である。
【図４】加熱発泡材が取付けられる側面部材の正面図である。
【図５】巻取り軸の斜視図である。
【図６】第一部材の正面図である。
【図７】第二部材の分解斜視図である。
【図８】巻取り軸の正面図である。
【図９】火災発生時の状態における巻取り軸の正面図である。
【図１０】火災発生時の状態におけるシャッターボックス付近の縦断面図である。
【発明を実施するための形態】
【００２５】
本発明の実施形態について図面に沿って詳細に説明する。図１には本実施形態におけるシャッターの縦断面図を、図２には本実施形態におけるシャッターの横断面図を、それぞれ示している。これら各図に示すように、本実施形態のシャッターは、上枠１０と下枠１１及び左右の縦枠１２，１２を方形状に枠組みしてなる枠体１内に内障子４と外障子５を引き違い状に納め、上枠１０にはシャッターボックス２を設けて扉体３を収納可能とすると共に、シャッターボックス２から扉体３を引き出し自在として構成されている。
【００２６】
内障子４と外障子５は、それぞれ上框３０と下框３１及び左右の縦框３２，３２を方形状に框組みしてなる框体６内に、ガラス板からなるパネル体７を納めて構成されている。枠体１を構成する下枠１１には、内障子４を長手方向に案内する内レール部１１ａと、外障子５を長手方向に案内する外レール部１１ｂとが形成されている。また、枠体１を構成する上枠１０には、内障子４の上辺を長手方向に案内する上内レール部１０ａと、外障子５の上辺を長手方向に案内する上外レール部１０ｂとが形成されている。
【００２７】
シャッターボックス２は、上面部４０と下面部４１及び左右の側面部４２，４２を有しており、側面部４２を構成する側面部材１８には巻取り軸２０が取付けられている。巻取り軸２０は、多数のスラット２２を上下方向に連結してなる扉体３を巻回可能としており、シャッターボックス２内に扉体３を収納可能となるように構成されている。扉体３は、シャッターボックス２の下部に形成された開口部２１から下方に引き出し自在となっている。なお、図１は扉体３を引き出して全閉とした状態を表している。
【００２８】
シャッターボックス２を有する上枠１０は、上面部４０を構成する上側部材１５と、下面部４１を構成する下側部材１６とを有し、シャッターボックス２はさらに、側面部４２を構成する側面部材１８と、上側部材１５からシャッターボックス２の室外側面を構成するカバー部材１７を有している。また、シャッターボックス２の扉体３を収納する空間部の建物躯体側を覆うように、背面カバー部材１９が設けられる。背面カバー部材１９は、躯体室外面５０と離隔して対向するように配置される。
【００２９】
縦枠１２の室外側には、扉体３の左右端部を上下方向に案内するガイドレール部材１３が設けられている。ガイドレール部材１３は、扉体３の左右端部を飲み込む凹状の案内部１３ａを備えている。
【００３０】
扉体３の下端部には、ガイドレール部材１３間の略全長に渡る幅を有した幅木部材２３が設けられる。幅木部材２３は、面状に形成された室外側壁２３ａの室外側に、逆Ｌ字状に突出する一体的な把手部２３ｂを有している。図２に示されているように、扉体３の下端部左右端部付近には、樹脂製の当たり部材２４，２４が設けられている。このため、幅木部材２３は扉体３の端部よりも中央寄りにその両端部が配置されることとなる。
【００３１】
下枠１１の室外側部には、幅木部材３１の下端部を納めることができる溝状の凹部１１ｃが形成されている。幅木部材３１を枠体１の下端部に配置することで、幅木部材３１の下端部が凹部１１ｃに納められると共に、凹部１１ｃを構成する下枠１１の室外側面を、幅木部材３１の把手部３１ｂが跨いだ状態となる。
【００３２】
次に、シャッターボックス２内における防火の構造について詳細に説明する。図３には、シャッターボックス２を構成する側面部材１８と背面カバー部材１９との分解斜視図を示している。シャッターボックス２の両側の側面部４２を構成する側面部材１８は、互いに対向するように配置され、側面部材１８の下端前面側端部間には、扉体３を引き出す開口部２１を構成する開口補助部材２５が渡され、側面部材１８の背面間には、背面カバー部材１９が渡される。
【００３３】
側面部材１８の内面中央部には、巻取り軸２０を支持固定するための軸受け部１８ａが形成されている。一方の側面部材１８、図３中では手前側の側面部材１８には、軸受け部１８ａ及びその周囲を覆うように加熱発泡材２６が取付けられる。加熱発泡材２６は耐火材の一種であり、火災時の高温に晒されることによって面方向に発泡して膨張し、空間を塞ぐことのできるものである。
【００３４】
図４には加熱発泡材２６が取付けられる側面部材１８の正面図を示している。この図に示すように、加熱発泡材２６は略八角形をなすように形成されており、軸受け部１８ａが形成された部分の側面部材１８の内面に固着されている。したがって、加熱発泡材２６は軸受け部１８ａによって支持される巻取り軸２０の端面と対向することとなる。
【００３５】
巻取り軸２０の詳細な構造につきさらに説明する。図５には、巻取り軸２０の斜視図を示している。巻取り軸２０は、側面部材１８に固定されて回転しない固定軸部５０と、固定軸部５０に回転自在に保持された中空筒状の回転軸部５１とからなっており、回転軸部５１に扉体３の端部が固定される。したがって、回転軸部５１の回転に伴って扉体３を巻き取る、あるいは引き出すことができる。
【００３６】
固定軸部５０は、一端側の側面部材１８に固定される第一部材５２と、他端側の側面部材１８に固定される第二部材５３とからなっており、これらは巻取り軸２０の長手方向に離隔している。第一部材５２と第二部材５３は、回転軸部５１の一方側と他方側をそれぞれ回転自在に支持する。また、第一部材５２は、回転軸部５１を電動で回転駆動するモーター（図示しない）を内部に有しており、第二部材５３は、扉体３を自重に対抗する方向に付勢する付勢部材５３ｃを有している。前述の側面部材１８に設けられる加熱発泡材２６は、第一部材５２の端面と対向する。なお、第一部材５２内には、樹脂製の部品が用いられている。
【００３７】
回転軸部５１には、第一部材５２が配置される側の周面に、２つの固定孔部５１ａが形成されており、この固定孔部５１ａに対して固定ピース５１ｂがそれぞれ挿入されると共に、ネジ止め固定される。このため、回転軸部５１は、固定孔部５１ａの部分が完全には密封されていない。
【００３８】
図６には、第一部材５２の正面図を示している。第一部材５２は、略円筒状をなすように形成されており、側面部材１８に支持される端部５２ｃの近傍に、回転軸部５１の端部を回転自在に支持可能な回転支持部５２ｂが設けられている。端部５２ｃには周面に沿って加熱発泡材５２ｄが配置されている。この加熱発泡材５２ｄは、金属製の固定バンド５２ｆによって第一部材５２の周面に固定されている。
【００３９】
第一部材５２の側面部材１８に支持される側と反対側の端部には、内部のモーターに連動して回転自在な動力伝達支持部５２ａが設けられている。動力伝達支持部５２ａは、周面で回転軸部５１の内周面を受ける構造となっている。これにより、モーターが回転して動力伝達支持部５２ａが回転することで、回転軸部５１を回転させることができる。
【００４０】
第一部材５２の周面には、動力伝達支持部５２ａと回転支持部５２ｂの間に、２つの加熱発泡材５２ｅ，５２ｅが離隔して配置されている。これらの加熱発泡材５２ｅも、端部５２ｃの加熱発泡材５２ｄと同様、金属製の固定バンド５２ｆによって第一部材５２の周面に固定されている。２つの加熱発泡材５２ｅ，５２ｅ間は、巻取り軸２０の長手方向において回転軸部５１の固定孔部５１ａを挟むように配置される。
【００４１】
図７には、第二部材５３の分解斜視図を示している。第二部材５３は、金属製のパイプからなる中心筒体５３ａにいくつかの部品を取付けて構成されている。中心筒体５３ａの両端部近傍には、それぞれ回転軸部５１を回転自在に保持可能な支持部５３ｂが設けられている。中心筒体５３ａのうち巻取り軸２０の中央側の端部寄りには、扉体３を付勢する付勢部材５３ｃが設けられている。中心筒体５３ａは、全長に渡って内部が中空状となっており、この中空内部には、加熱発泡材５３ｄが挿入される。また、巻取り軸２０の端部側に配置される支持部５３ｂに隣接するように、加熱発泡材５３ｈが中心筒体５３ａの周面に沿って設けられる。
【００４２】
中心筒体５３ａに設けられる支持部５３ｂよりも端部側には、リング状の端部材５３ｅが取付けられる。端部材５３ｅは、支持部５３ｂとシャッターボックス２の側面部材１８との間に配置されることとなる。端部材５３ｅには、軸方向に面するように加熱発泡材５３ｆが取付けられている。図７には表れていないが、端部材５３ｅは加熱発泡材５３ｆと反対側の面にも、加熱発泡材５３ｇを有している。端部材５３ｅの一方の加熱発泡材５３ｆは、支持部５３ｂに支持された回転軸部５１の端面に対向し、端部材５３ｅの他方の加熱発泡材５３ｇは、側面部材１８と対向することとなる。
【００４３】
図８には、巻取り軸２０の正面図を示している。第一部材５２によって構成される固定軸部５０の端部５２ｃは、回転軸部５１から露出しており、この端部５２ｃに設けられる加熱発泡材５２ｄは、固定軸部５０の端面近傍に配置されることで、回転支持部５２ｂとシャッターボックス２の側面部材１８との間に配置される。また、第一部材５２に設けられる２つの加熱発泡材５２ｅ，５２ｅは、前述のように巻取り軸２０の長手方向において回転軸部５１に設けられる固定孔部５１ａを挟むように配置されている。側面部材１８に取付けられる加熱発泡材２６についても、図８に示している。側面部材１８の加熱発泡材２６は、固定軸部５０を構成する第一部材５２の端面に対向するように配置されている。
【００４４】
第二部材５３を構成する中心筒体５３ａの外周面に設けられる加熱発泡材５３ｈは、支持部５３ｂに隣接して配置されることで、回転軸部５１の端部に配置されることとなる。端部材５３ｅには、回転軸部５１の端面に対向する加熱発泡材５３ｆと、側面部材１８と対向する加熱発泡材５３ｇとが配置されている。また、中心筒体５３ａ内部には、端部近傍に加熱発泡材５３ｄが挿入されている。
【００４５】
図９には、火災発生時の状態における巻取り軸２０の正面図を示している。火災が発生してシャッターが高温に晒されると、各加熱発泡材は発泡して主に面方向に膨張する。側面部材１８に設けられた加熱発泡材２６は、巻取り軸２０の端面となる第一部材５２の端部５２ｃに向かって発泡し、第一部材５２の端面を覆う。第一部材５２の端部５２ｃに設けられた加熱発泡材５２ｄは、端部５２ｃの径を拡大するように発泡し、回転軸部５１の第一部材５２側端面を覆う。これらによって、巻取り軸２０の第一部材５２側の端部では、固定軸部５０と回転軸部５１の両方が加熱発泡材によって覆われ、巻取り軸２０内の可燃ガスが巻取り軸２０の端面から外部に流出することを抑止できる。
【００４６】
第一部材５２の周面に設けられた加熱発泡材５２ｅ，５２ｅは、それぞれ第一部材５２の径を拡大するように発泡し、第一部材５２と回転軸部５１の間を塞ぐ。これにより、加熱発泡材５２ｅ，５２ｅ間の第一部材５２と回転軸部５１との隙間が、それ以外の領域の第一部材５２と回転軸部５１との隙間から密閉される。この領域には、前述のように回転軸部５１に固定孔部５１ａが形成されているが、当該領域が密閉されていることにより、巻取り軸２０内で発生した可燃ガスが、固定孔部５１ａから流出することを抑止できる。
【００４７】
第二部材５３において端部材５３ｅの側面部材１８に対向する面に設けられた加熱発泡材５３ｇは、側面部材１８に向かって発泡し、端部材５３ｅと側面部材１８の間の空間を塞ぐ。中心筒体５３ａ内に挿入された加熱発泡材５３ｄは、中心筒体５３ａの中空内部を塞ぐようにこれを充填する。これらによって、巻取り軸２０の固定軸部５０の一端部について、火災時には加熱発泡材で塞ぐことができ、巻取り軸２０内部と連通する中心筒体５３ａの端部から可燃ガスが流出することを抑止できる。
【００４８】
第二部材５３の支持部５３ｂに隣接して配置されている加熱発泡材５３ｈは中心筒体５３ａの径を拡大するように発泡し、支持部５３ｂの巻取り軸２０中央側の端面を覆う。また、端部材５３ｅの回転軸部５１の端面と対向する面に設けられた加熱発泡材５３ｆは、回転軸部５１の端面に向かって発泡し、回転軸部５１の端面を塞いで、支持部５３ｂの側面部材１８側の端面を覆う。これらによって、巻取り軸２０の回転軸部５１の一端部について、火災時には加熱発泡材で塞ぐことができ、回転軸部５１内で発生した可燃ガスが流出することを抑止できる。
【００４９】
以上をまとめると、巻取り軸２０及び側面部材１８の各所に設けられた加熱発泡材のうち、側面部材１８に配置された加熱発泡材２６は、固定軸部５０を構成する第一部材５２の端面を塞ぎ、第一部材５２の端部５２ｃに配置された加熱発泡材５２ｄは、回転軸部５１の端面を塞ぎ、第二部材５３を構成する中心筒体５３ａ内に配置された加熱発泡材５３ｄと端部材５３ｅの側面部材１８側の面に配置された加熱発泡材５３ｆは、固定軸部５０を構成する中心筒体５３ａの端面を塞ぎ、端部材５３ｅの回転軸部５１側の面に配置された加熱発泡材５３ｇと中心筒体５３ａの支持部５３ｂに隣接して配置された加熱発泡材５３ｈは、回転軸部５１の端面を塞ぐ。すなわち、これらの加熱発泡材によって巻取り軸２０の両端部であって、固定軸部５０と回転軸部５１の各端面が、それぞれ火災時には塞がれることになる。固定軸部５０と回転軸部５１の各端面は密封されていないため、火災時には第一部材５２内部の樹脂部品が溶融したことにより発生する可燃ガスを流出させるおそれがあるが、加熱発泡材により各端面が塞がれることにより、流出を抑止することができる。
【００５０】
また、回転軸部５１に形成された固定孔部５１ａからの可燃ガス流出は、第一部材５２において固定軸部５０と回転軸部５１の間に配置される加熱発泡材５２ｅ，５２ｅによる空間の閉塞で抑止される。
【００５１】
図１に示すように、扉体３を降ろした全閉状態において、扉体３は巻取り軸２０の１周分にスラット２２の１つ分を加えた長さだけ、巻取り軸２０に巻回された状態となっている。扉体３の全閉状態で巻取り軸２０に巻回された部分は、巻付け部３ａとして、巻取り軸２０の全周を覆っている。巻付け部３ａの引き出し側端部３ｃと固定側端部３ｄの間には、加熱発泡材３ｂが配置される。加熱発泡材３ｂは、巻付け部３ａを構成するスラット２２の略全幅に渡って配置される。
【００５２】
図１０には、火災発生時の状態におけるシャッターボックス２付近の縦断面図を示している。この図に示すように、火災が発生してシャッターが高温に晒されると、巻付け部３ａに設けられた加熱発泡材３ｂは発泡して膨張し、巻付け部３ａのスラット２２間の領域を閉塞する。
【００５３】
扉体３が巻付け部３ａを有しているため、扉体３の全閉状態においても巻取り軸２０はスラット２２によって全周が覆われており、仮に巻取り軸２０の周面から可燃ガスが流出したとしても、シャッターボックス２内に可燃ガスが漏れ出さないようにしており、さらに、加熱発泡材３ｂによって巻付け部３ａの引き出し側端部が閉塞されるので、より確実に可燃ガスの流出を抑止することができる。
【００５４】
以上、本発明の実施形態について説明したが、本発明の適用は本実施形態には限られず、その技術的思想の範囲内において様々に適用されうるものである。例えば、本実施形態では、固定軸部５０の両端部を塞ぐための加熱発泡材につき、一方側は側面部材１８に配置し、他方側は巻取り軸２０に配置したが、火災時に両端部を塞ぐことができるのであれば、本実施形態の配置には限られない。また、本実施形態は、巻取り軸２０を電動で駆動するものについて示したが、手動で駆動するものであっても、本発明を適用することができる。
【符号の説明】
【００５５】
１    枠体
２    シャッターボックス
３    扉体
３ａ  巻付け部
３ｂ  加熱発泡材
４    内障子
５    外障子
６    框体
７    パネル体
１０    上枠
１１    下枠
１２    縦枠
１３    ガイドレール部材
１８    側面部材
１８ａ  軸受け部
２０    巻取り軸
２１    開口部
２２    スラット
２３    幅木部材
２６    加熱発泡材
５０    固定軸部
５１    回転軸部
５１ａ  固定孔部
５２    第一部材
５２ａ  動力伝達支持部
５２ｂ  回転支持部
５２ｃ  端部
５２ｄ  加熱発泡材
５２ｅ  加熱発泡材
５３    第二部材
５３ａ  中心筒体
５３ｂ  支持部
５３ｃ  付勢部材
５３ｄ  加熱発泡材
５３ｅ  端部材
５３ｆ  加熱発泡材
５３ｇ  加熱発泡材
５３ｈ  加熱発泡材
【図１】
2015068024.tif 000003
【図２】
2015068024.tif 000004
【図３】
2015068024.tif 000005
【図４】
2015068024.tif 000006
【図５】
2015068024.tif 000007
【図６】
2015068024.tif 000008
【図７】
2015068024.tif 000009
【図８】
2015068024.tif 000010
【図９】
2015068024.tif 000011
【図１０】
2015068024.tif 000012